(57)【要約】【課題】現有の足踏みマッサージマットではマッサージ凸粒を独立して支持することができないとの問題を解決する、抗疲労足踏みマットの作製方法を提供する。【解決手段】本発明は抗疲労足踏みマットの作製方法及び抗疲労足踏みマットに関するものであり、本発明の抗疲労足踏みマットの作製方法は、先ず金型のキャビティ内で保護外層を成形し、その後、保護内層及び外層によりマッサージブロック及び発泡エラストマーを固定して、マッサージブロックの独立した取付及び独立した支持を実現しており、現有技術におけるすべてのマッサージブロック／凸粒を硬質の支持板上に固定しなければならないとの技術的難題を克服している。本発明の抗疲労足踏みマットは、平滑かつ耐磨耗の保護層、独立したマッサージブロック及びエラストマーの複合を実現しており、硬質マッサージ凸粒の独立した支持及び弾性浮動マッサージ機能を有している。【選択図】図１
2019122764.tif 000002
【特許請求の範囲】
【請求項１】
金型を提供し、前記金型のキャビティ内に凹入ピットを設け、前記金型のキャビティ内表面に成膜剤を均一にスプレーし、凝結させて保護層を得る、保護層を調製する第１ステップと、
硬質のマッサージブロックを前記第１ステップにおいて成形した保護層上に設け、かつ、前記マッサージブロックを前記凹入ピットに対応した位置に設ける、マッサージブロックを固定する第２ステップと、
硬質のマッサージブロックが対応する位置に固定被覆されるように、金型のキャビティ内に成膜剤を再度スプレーし、マッサージブロックの固定を実現する第３ステップと、
前記第３ステップにおけるキャビティ内に発泡材料を注入するとともに、発泡熟化して、エラストマーを得る、エラストマーを発泡する第４ステップと、を含むことを特徴とする抗疲労足踏みマットの作製方法。
【請求項２】
前記第１ステップは、
金型を加熱して昇温させるとともに、金型のキャビティ内に離型剤をスプレーする第１１ステップと、
乾燥した空気を金型のキャビティに吹き付ける第１２ステップと、
キャビティ内に成膜剤をスプレーする第１３ステップと、を含むことを特徴とする請求項１に記載の抗疲労足踏みマットの作製方法。
【請求項３】
金型を加熱して昇温した後、温度５０℃〜７０℃の間に保持し、前記成膜剤は、イソシアネート成分とアミノ基化合物成分との反応により生成され、アミノ基化合物は末端アミノ基樹脂及び末端アミノ基鎖延長剤からなることを特徴とする請求項２に記載の抗疲労足踏みマットの作製方法。
【請求項４】
前記マッサージブロックは、スチールボール、玉石、プラスチックブロック、木製球、木製ブロックまたは磁石及びガス充填球体のうちの１種または任意の種の組合せであることを特徴とする請求項１に記載の抗疲労足踏みマットの作製方法。
【請求項５】
前記第４ステップにおいて、前記発泡材料はポリウレタンであり、ポリウレタンをキャビティに注入した後、金型を締めて前記キャビティを封止し、ポリウレタンの発泡エイジングを実現することを特徴とする請求項１に記載の抗疲労足踏みマットの作製方法。
【請求項６】
保護層、マッサージブロック及びエラストマーを含み、
前記エラストマーは前記保護層の内表面に設けられ、前記保護層は外層及び内層からなり、マッサージブロックは前記内層及び外層の間に設けられて位置決めされ、前記エラストマーは形状記憶特性を有する発泡材料であることを特徴とする抗疲労足踏みマット。
【請求項７】
前記マッサージブロックはガス充填球体であり、前記ガス充填球体の底部が前記エラストマー内に設けられ、かつ、前記ガス充填球体の残余の部分は前記エラストマーから凸出しているとともに、前記保護層内に被覆されることを特徴とする請求項６に記載の抗疲労足踏みマット。
【請求項８】
前記ガス充填球体はテニスボールであり、前記テニスボールは前記エラストマー内の深さ直径の１／３に設けられることを特徴とする請求項７に記載の抗疲労足踏みマット。
【発明の詳細な説明】
【技術分野】
【０００１】
本発明はフィットネス器材技術分野に属し、具体的には抗疲労足踏みマットの作製方法及び抗疲労足踏みマットに関する。
【背景技術】
【０００２】
マッサージ機能を有する足踏みマットは、脚部筋肉をマッサージして、生活及び労働における脚部の疲労を緩解する常用されるフィットネス／ヘルスケア器材である。
【０００３】
現有技術においては、主に足踏みマット上に足部を放置するマッサージエリアが設置され、このマッサージエリア中に一連のマッサージ機能を有する凸粒または可動機構が設置され、この足踏みマットは一定のマッサージヘルスケア機能を有しているが、このマッサージエリアには一般に以下の技術的問題が存在している。
【０００４】
（１）マッサージエリアに設置されているのは凸粒であり、凸粒は弾性支持機構上に成形されており、その材質は弾性支持機構と近似しているかまたは同一であり、その凸粒自身の強度不足により、非常に良好にはマッサージ効果を実現することができない。
【０００５】
（２）マッサージエリアに設置されているのは支持板であり、凸粒はマッサージボード上に設けられ、その後、マッサージボードが弾性材料により支持され、当該種の構造の凸粒の大部分は一体構造に固定されており、単一または局所的な幾つかの弾性的な浮動を実現することができず、マッサージの硬さが比較的大きくなり、足部の長時間にわたる付勢接触に不利である。
【０００６】
従って、硬質マッサージ凸粒の独立した支持と弾性浮動マッサージ機能を実現したマッサージ足踏みマットが早急に必要とされており、マッサージ凸粒がエラストマー上に一体化または成形しなければならないとの問題を解決した新型のマッサージマットの生産工程が早急に必要とされている。
【発明の概要】
【発明が解決しようとする課題】
【０００７】
本発明の主旨は、現有のマッサージ足踏みマットではマッサージ凸粒を独立して支持することができないとの問題を解決する、抗疲労足踏みマットの作製方法を提供することにある。
【課題を解決するための手段】
【０００８】
具体的な案は、以下の通りであり、抗疲労足踏みマットの作製方法は、金型を提供し、金型のキャビティ内に凹入ピットを設け、金型のキャビティ内表面に成膜剤を均一にスプレーし、凝結させて保護層を得る、保護層を調製する第１ステップと、硬質のマッサージブロックを第１ステップにおいて成形した保護層上に設け、かつ、マッサージブロックを凹入ピットに対応した位置に設ける、マッサージブロックを固定する第２ステップと、硬質のマッサージブロックが対応する位置に固定被覆されるように、金型のキャビティ内に成膜剤を再度スプレーし、マッサージブロックの固定を実現する第３ステップと、第３ステップ、第４ステップにおけるキャビティ内に発泡材料を注入するとともに、発泡熟化して、エラストマーを得る、エラストマーを発泡するステップと、を含む。
【０００９】
更に、第１ステップは、好適には、金型を加熱して昇温させるとともに、金型のキャビティ内に離型剤をスプレーする第１１ステップと、乾燥した空気を金型のキャビティに吹き付ける第１２ステップと、キャビティ内に成膜剤をスプレーする第１３ステップと、を含む。
【００１０】
更に、第１ステップにおいては、金型を加熱して昇温した後、温度５０℃〜７０℃の間に保持し、成膜剤は、イソシアネート成分とアミノ基化合物成分との反応により生成され、アミノ基化合物は末端アミノ基樹脂及び末端アミノ基鎖延長剤からなる。
【００１１】
更に、マッサージブロックは、スチールボール、玉石、プラスチックブロック，木製球、木製ブロックまたは磁石及びガス充填球体のうちの１種または任意の種の組合せである。
【００１２】
更に、第４ステップにおいて、発泡材料はポリウレタンであり、ポリウレタンをキャビティに注入した後、金型を締めてキャビティを封止し、ポリウレタンの発泡熟化を実現する。
【００１３】
本発明では、更に、保護層、マッサージブロック及びエラストマーを含む抗疲労足踏みマットが提供されており、エラストマーは保護層の内表面に設けられ、保護層は外層及び内層からなり、マッサージブロックは内層及び外層の間に設けられて位置決めされ、エラストマーは形状記憶特性を有する発泡材料である。
【００１４】
更に、マッサージブロックはガス充填球体であり、ガス充填球体の底部がエラストマー内に設けられ、かつ、ガス充填球体の残余の部分はエラストマーから凸出しているとともに、保護層内に被覆される。
【００１５】
更に、ガス充填球体はテニスボールであり、テニスボールをエラストマー内に設ける深さはその直径の１／３を上回らない。
【発明の効果】
【００１６】
本発明の抗疲労足踏みマットの作製方法は、先ず金型のキャビティ内で保護層を成形し、その後、保護層によりマッサージブロック及び発泡エラストマーを固定して、マッサージブロックの独立した取付及び独立した支持を実現しており、現有技術におけるすべてのマッサージブロック／凸粒を硬質の支持板上に固定しなければならないとの技術的難題を克服している。次に、保護層は成膜剤が凝結して支持されており、その後、発泡材料が保護層内に設けられ、現有技術における発泡材料の表面品質が高くなく、容易に気泡、焼け焦げまたは切欠きが発生するとの問題を解決しており、保護層の硬軟度が快適性に影響を及ぼすため、工程での配合を調整して、エラストマーの硬軟度を調整することができ、更にわれわれが理想とする快適性に到達することができ、保護層の表面に気泡孔はなく、洗浄面の問題もない。また、金型のキャビティに凹入ピットが設けられ、凹入ピットの形状及び寸法は対応するマッサージブロックに適合しており、マッサージブロックは保護層の粘性及び凹入ピットの形状適合性により、エラストマー発泡過程における固定を実現し、独立したマッサージブロックの位置固定が困難であるとの技術的難題を解決している。
【００１７】
本発明の抗疲労足踏みマットは、平滑かつ耐磨耗の保護層、独立したマッサージブロック及びエラストマーの複合を実現しており、硬質マッサージ凸粒の独立した支持及び弾性浮動マッサージ機能を有している。
【図面の簡単な説明】
【００１８】
【図１】本発明における抗疲労足踏みマットの構造概略図である。
【図２】本発明の実施例１、実施例２における足踏みマットの断面図である。
【図３】本発明の実施例３、実施例４における足踏みマットの断面図である。
【発明を実施するための形態】
【００１９】
各実施例について更に説明するため、本発明では添付図面が提供されている。それらの添付図面は本発明の開示内容の一部であり、それは主に実施例について説明するために用いられるとともに、明細書の関連する記述と併せて実施例の動作原理を解釈することができる。それらの内容を併せて参考とすることにより、当業者であればその他の可能性がある実施形態及び本発明の利点を理解することができる。図中の構成要素は比率通りには描かれておらず、類似した構成要素の符号は、通常、類似した構成要素の表示に用いられる。
【００２０】
ここで、添付図面及び具体的な実施形態に基づき本発明について更に説明する。
【００２１】
［実施例１］
本願発明者は研究により、先行技術においては、マッサージブロックの取付固定を実現するため、マッサージブロックを１つの基板上に成形し、その後、基板を弾性材質上に取り付けなければならないことを発見した。
【００２２】
その主な技術的難度は、（１）マッサージブロックの単独固定を実現することができず、弾性材質は発泡成形過程において、極めて容易にマッサージブロックの位置の変動を招くこと、（２）マッサージブロックを金型のキャビティに直接固定すると、それは容易に弾性材質上から脱落するか、または後続の粘着固定を更に必要とし、踏み付け過程において、粘着面が極めて容易に分離して失効し、製品の品質が劣るため、実際には、独立したマッサージブロックを内蔵した構造の生産を実現することができないこと、にある。
【００２３】
実施例１では、粘着を回避し、マッサージブロックを独立して固定する抗疲労足踏みマットの作製方法が提供されており、以下のステップを含む。
【００２４】
第１ステップは、保護層を調製するステップであって、当該ステップにおいては、先ず金型を提供し、金型はキャビティを有する下型及び平面の上型を含み、キャビティの開口は鉛直上向きに配置され、金型のキャビティの底面上にマッサージブロックを収容するための複数の凹入ピットを有する。
【００２５】
具体的に、第１ステップは、金型を加熱して昇温させ、好適には、金型を加熱して昇温させた後に温度を５０℃〜７０℃の間の恒温状態に保持し、温度は成膜剤自身のパラメータの必要に応じて決定され、その後、キャビティをクリーニングし、金型のキャビティ内に離型剤をスプレーし、離型剤は昇温状態下において金型のキャビティ内表面に貼着する第１１ステップと、エアガンを用いて高圧の乾燥した空気を金型のキャビティに吹き付け、液状で固定されていない離型剤を吹き飛ばす第１２ステップと、キャビティ内に成膜剤を均一にスプレーし、好適には、成膜剤はポリエーテルポリオールとイソシアネートとの混合液であり、当該種混合液は金型自身の温度作用下で、凝結して硬化することにより、保護層を形成する第１３ステップであって、当該ステップは、複数回繰り返して、保護層の厚み制御を実現することができる、保護層を形成する第１３ステップと、を含む。
【００２６】
第２ステップは、マッサージブロックを固定するステップであって、硬質のマッサージブロックを第１ステップにおいて成形した保護層上の内側に設け、かつ、マッサージブロックをキャビティ底面の凹入ピットに対応した位置に設けることにより、保護層自身の粘性と、マッサージブロックと凹入ピットとの寸法的な嵌合と、を組み合わせて、マッサージブロックの固定を実現し、マッサージブロックは、スチールボール、玉石、プラスチックブロック及びガス充填球体、例えばテニスボールなどとすることができ、上記数種のうちの１種または複数種の組合せとすることもできる。
【００２７】
第３ステップは、エラストマーを発泡するステップであって、第２ステップにおけるキャビティ内に発泡材料を注入し、実施例１において、発泡材料はポリウレタンであり、併せて発泡エイジングすることにより、エラストマーを得る。
【００２８】
更に、第３ステップにおいては、ポリウレタンをキャビティに注入した後、上型を下型に蓋設し、キャビティを封止して、ポリウレタンの発泡熟化を完成させる。
【００２９】
最後に、金型を開けて、キャビティ内の抗疲労足踏みマットを取り出す。
【００３０】
［実施例２］
図１及び図２を併せて参照すると、実施例２は、更に、抗疲労足踏みマット１を提供しており、マッサージ足踏みマット１は、外から内に順次、保護層２、第１マッサージブロック３、第２マッサージブロック４及びエラストマー５を含む。
【００３１】
実施例２の保護層２は、成膜剤が凝結硬化して形成されており、エラストマー５は保護層の内表面に設けられ、エラストマー５は保護層の内側に発泡成形された形状記憶材料のポリウレタンである。
【００３２】
実施例２において、第１マッサージブロック３はスチールボールであり、スチールボールは保護層２とエラストマー５との間に設けられ、かつ、第１マッサージブロック３はエラストマー５の上端面中間部の位置に設けられ、足踏み部となる。
【００３３】
実施例２において、第２マッサージブロック４はガス充填球体、好適には、テニスボールであり、第２マッサージブロック４は保護層２とエラストマー５との間に設けられ、実施例２において、エラストマー５は略直方体であり、第２マッサージブロック４は４個であり、かつ、それぞれエラストマー上端面の四隅箇所に設けられ、図から判るように、ガス充填球体の底部はエラストマー５内に被覆されており、かつ、頂部はエラストマー５から凸出しているとともに、保護層２内に被覆されることにより、第２マッサージブロック４の頂部がエラストマー５の上端面から凸出して、土踏まずを支持するための引張支持部を形成している。
【００３４】
ここで理解可能な点は、この実施例において、第２マッサージブロック４はエラストマー５内への埋設深さはその直径の２／３、つまり１／３が保護層２内に埋設されて、発泡過程における固定を実現している点であり、その他の実施例において、ガス充填球体はテニスボールであり、テニスボールがエラストマー内に設けられる深さはその直径の１／３であり、それにより第２マッサージブロック４の弾性支持を実現可能であり、かつ、保護層２の脱離を回避することができる。
【００３５】
［実施例３］
本願発明者は、更に、粘着を回避し、マッサージブロックが独立して固定される抗疲労足踏みマットの作製方法を提供しており、実施例１に比べ、主に実施例１における第２ステップの後に、スプレーステップにより保護内層を形成し、その後、更にエラストマーの発泡を行うステップを追加している。また、実施例３における成膜剤にはポリ尿素のスプレーが選択され、具体的には関連するステップの通りである。
【００３６】
粘着を回避し、マッサージブロックを独立して固定する抗疲労足踏みマットの作製方法であって、以下のステップを含む。
【００３７】
第１ステップは、保護層を調製するステップであって、当該ステップにおいては、先ず金型を提供し、金型はキャビティを有する下型及び平面の上型を含み、キャビティの開口は鉛直上向きに配置され、金型のキャビティの底面上にマッサージブロックを収容するための複数の凹入ピットを有する。
【００３８】
具体的に、第１ステップは、金型を加熱して昇温させ、好適には、金型を加熱して昇温させた後に温度を５０℃〜７０℃の間の恒温状態に保持し、温度は成膜剤自身のパラメータの必要に応じて決定され、その後、キャビティをクリーニングし、金型のキャビティ内に離型剤をスプレーし、離型剤は昇温状態下において金型のキャビティ内表面に貼着する第１１ステップと、エアガンを用いて高圧の乾燥した空気を金型のキャビティに吹き付け、液状で固定されていない離型剤を吹き飛ばす第１２ステップと、キャビティ内に成膜剤を均一にスプレーし、好適には、成膜剤はイソシアネート成分とアミノ基化合物成分との反応により生成され、アミノ基化合物は末端アミノ基樹脂及び末端アミノ基鎖延長剤からなる。当該種材料は金型自身の温度作用下で、凝結して硬化することにより、保護層を形成する第１３ステップであって、当該ステップは、複数回繰り返して、保護層の厚み制御を実現することができる、保護層を形成する第１３ステップと、を含む。
【００３９】
第２ステップは、マッサージブロックを固定するステップであって、硬質のマッサージブロックを第１ステップにおいて成形した保護層上の内側に設け、かつ、マッサージブロックをキャビティ底面の凹入ピットに対応した位置に設ける。
【００４０】
第３ステップは、金型のキャビティ内に成膜剤を再度スプレーするステップであって、成膜剤は第１３ステップにおける成膜剤と同一である。その目的は、硬質のマッサージブロックが対応する位置に更に固定被覆されることにより、保護層自身の粘性と、マッサージブロックと凹入ピットとの寸法的な嵌合と、を組み合わせて、マッサージブロックの固定を実現することである。マッサージブロックは、スチールボール、玉石、プラスチックブロック、木製球、木製ブロックまたは磁石及びガス充填球体、例えばテニスボールなどとすることができ、上記数種のうちの１種または複数種の組合せとすることもできる。
【００４１】
第４ステップは、エラストマーを発泡するステップであって、第３ステップにおけるキャビティ内に発泡材料を注入し、実施例３において、発泡材料はポリウレタンであり、併せて発泡熟化することにより、エラストマーを得る。
【００４２】
更に、第４ステップにおいて、ポリウレタンをキャビティに注入した後、上型を下型に蓋設し、キャビティを封止して、ポリウレタンの発泡熟化を完成させる。
【００４３】
最後に、金型を開けて、キャビティ内の抗疲労足踏みマットを取り出す。
【００４４】
［実施例４］
図１及び図３を併せて参照すると、実施例４は、更に、抗疲労足踏みマット１を提供しており、マッサージ足踏みマット１は、外から内に順次、外層２１、第１マッサージブロック３、第２マッサージブロック４、内層２２及びエラストマー５を含む。
【００４５】
実施例４の内層及び外層が組み合わされて保護層２を形成し、それは成膜剤が凝結硬化して形成されており、エラストマー５は保護層の内表面に設けられ、エラストマー５は保護層の内側に発泡成形された形状記憶材料のポリウレタンである。
【００４６】
実施例４において、第１マッサージブロック３はスチールボールであり、スチールボールは保護層内に設けられてエラストマー５により支持されており、かつ、第１マッサージブロック３はエラストマー５の上端面中間部の位置に設けられ、足踏み部となる。
【００４７】
実施例４において、第２マッサージブロック４はガス充填球体、好適には、テニスボールであり、第２マッサージブロック４は内層及び外層の間に設けられてエラストマー５により支持されており、実施例４において、エラストマー５は略直方体であり、第２マッサージブロック４は４個であり、かつ、それぞれエラストマー上端面の四隅箇所に設けられ、図から判るように、ガス充填球体の底部はエラストマー５内に被覆されており、かつ、頂部はエラストマー５から凸出しているとともに、保護層２内に被覆されることにより、第２マッサージブロック４の頂部がエラストマー５の上端面から凸出して、土踏まずを支持するための引張支持部を形成している。
【００４８】
ここで理解可能な点は、この実施例において、第２マッサージブロック４はエラストマー５内への埋設深さはその直径の２／３、つまり１／３が保護層２内に埋設されて、発泡過程における固定を実現している点であり、その他の実施例において、ガス充填球体はテニスボールであり、テニスボールがエラストマー内に設けられる深さはその直径の１／３であり、それにより第２マッサージブロック４の弾性支持を実現可能であり、かつ、保護層２の脱離を回避することができる。
【００４９】
好適な実施案に基づき本発明について具体的に提示及び紹介したが、当業者であれば明らかな通り、添付されている特許請求の範囲が画定する本発明の精神及び範囲内から脱離することなく、形態および詳細において本発明に対して様々な変更を施すことができるが、それらはいずれも本発明の保護範囲である。
【符号の説明】
【００５０】
１    抗疲労足踏みマット
２    保護層
２１  外層
２２  内層
３    第１マッサージブロック
４    第２マッサージブロック
５    エラストマー
【図１】
2019122764.tif 000003
【図２】
2019122764.tif 000004
【図３】
2019122764.tif 000005
【外国語明細書】
2019122764000001.pdf
2019122764000002.pdf
2019122764000003.pdf
2019122764000004.pdf